(57)【要約】【課題】小型化・薄型化に際しても、安定した切り替え動作が可能で、且つ耐久性の高いスライドスイッチ等のスイッチの提供。【解決手段】固定接点に接触する可動接点を有する可動接点端子１４と、ハウジングに固定接点間方向で移動可能に収容された操作体とを備え、可動接点端子１４は、操作体に支持される基部３０を備えるとともに、基部３０の固定接点間方向両端部に互いに固定接点間方向で反対方向に向けた一対の弾性接触片３１ａ，３１ｂをそれぞれ異なる側に片寄せた互い違い配置に備え、弾性接触片３１ａ，３１ｂは、基部３０端部より固定接点間方向の一方に向けた形状の弾性支持片３４ａ，３４ｂと、弾性支持片の先端側より固定接点側に折り返して固定接点間方向の他方に向けた形状の接点支持片３６ａ，３６ｂとを備え、接点支持片３６ａ，３６ｂの他端部に可動接点１３ａ，１３ｂが形成されている。【選択図】図５
2013020739.tif 000002
【特許請求の範囲】
【請求項１】
ハウジングの内側面部に間隔を置いて露出させた複数の固定接点と、該固定接点に接離する一対の可動接点を有する可動接点端子と、前記ハウジングに前記固定接点間方向で移動可能に収容された操作体とを備え、前記可動接点端子が前記操作体の移動に連動して前記固定接点間方向で移動することにより切り替え動作がなされるようにしてなるスイッチにおいて、
前記可動接点端子は、前記操作体に支持される基部を備えるとともに、該基部の固定接点間方向両端部に互いに固定接点間方向で反対方向に向けた一対の弾性接触片をそれぞれ異なる側に片寄せた互い違い配置に備え、
該弾性接触片は、前記基部端部より固定接点間方向の一方に向けた形状の弾性支持片部と、前記弾性支持片部の先端側より固定接点側に折り返して前記固定接点間方向の他方に向けた形状の接点支持片部とを備え、該接点支持片部の先端部に前記可動接点が形成され、前記両可動接点が固定接点間方向で間隔を置いて互い違いに配置されるようにしたことを特徴としてなるスイッチ。
【発明の詳細な説明】
【技術分野】
【０００１】
本発明は、ポータブルオーディオ、デジタルカメラ、携帯端末機器等に使用されるスライドスイッチ等の摺動接点方式のスイッチに関する。
【背景技術】
【０００２】
従来、この種のスイッチとしては、例えば、図７に示す如きスライドスイッチが知られている（例えば、特許文献１を参照）。
【０００３】
このスライドスイッチ１は、絶縁樹脂製のハウジング２と、ハウジング２の内側面部に間隔を置いて露出させた複数の固定接点３ａ，３ｂ，３ｃ，３ｄと、固定接点に接触する一対の可動接点４ａ，４ａを有する可動接点端子４と、ハウジング２に固定接点間方向で移動可能に収容されたスライダー５とを備え、可動接点端子４がスライダー５の移動に連動して固定接点間方向で移動するようになっている。尚、図中符号２ａはスライダー５の操作摘み５ａが挿入される長孔状のスライド孔である。
【０００４】
可動接点端子４は、操作体５に支持させた基部４ｂの固定接点間方向両端よりそれぞれ固定接点側に傾けた形状の弾性接触片４ｃ，４ｃを一体に備え、この弾性接触片４ｃ，４ｃの先端に可動接点４ａ，４ａが形成され、スライダー５を移動させることにより、スライダー５に支持された可動接点端子４が固定接点間方向で移動し、それに伴い可動接点４ａ，４ａが固定接点３ａ，３ｃから摺動しながら隣り合う他の固定接点３ｂ，３ｄまで移動し、それによりスライドスイッチ１に接続された電気回路の切り替えがなされるようになっている。
【先行技術文献】
【特許文献】
【０００５】
【特許文献１】特開平０６−２１５６５９号公報
【発明の概要】
【発明が解決しようとする課題】
【０００６】
しかしながら上述の如き従来の技術では、両弾性接触片が基部より互いに相反する方向に向けた形状であるため、固定接点間方向のスイッチ外形を小型化するには、弾性接触片の長さを短くせざるを得ず、その分弾性変形可能な部分が短くなると、可動接点の固定接点に対する押し付け圧が増加して弾性接触片に対する負荷が大きくなるという問題があり、その為疲労し易く、寿命の低下を招くおそれがあった。
【０００７】
また、可動接点端子の弾性変形可能な部分が短いと、適切な接触圧が得られず、移動した固定接点毎の接触圧にばらつきが生じ、接続の安定性に欠けるおそれがあった。
【０００８】
本発明は、このような従来の問題に鑑み、小型化・薄型化に際しても、安定した切り替え動作が可能で、且つ耐久性の高いスライドスイッチ等のスイッチの提供を目的としてなされたものである。
【課題を解決するための手段】
【０００９】
上述の如き従来の問題を解決し、所期の目的を達成するための請求項1に記載の発明の特徴は、ハウジングの内側面部に間隔を置いて露出させた複数の固定接点と、該固定接点に接離する一対の可動接点を有する可動接点端子と、前記ハウジングに前記固定接点間方向で移動可能に収容された操作体とを備え、前記可動接点端子が前記操作体の移動に連動して前記固定接点間方向で移動することにより切り替え動作がなされるようにしてなるスイッチにおいて、前記可動接点端子は、前記操作体に支持される基部を備えるとともに、該基部の固定接点間方向両端部に互いに固定接点間方向で反対方向に向けた一対の弾性接触片をそれぞれ異なる側に片寄せた互い違い配置に備え、該弾性接触片は、前記基部端部より固定接点間方向の一方に向けた形状の弾性支持片部と、前記弾性支持片部の先端側より固定接点側に折り返して前記固定接点間方向の他方に向けた形状の接点支持片部とを備え、該接点支持片部の先端部に前記可動接点が形成され、前記両可動接点が固定接点間方向で間隔を置いて互い違いに配置されるようにしたことにある。
【発明の効果】
【００１０】
本発明に係るスイッチは、上述したように、ハウジングの内側面部に間隔を置いて露出させた複数の固定接点と、該固定接点に接離する一対の可動接点を有する可動接点端子と、前記ハウジングに前記固定接点間方向で移動可能に収容された操作体とを備え、前記可動接点端子が前記操作体の移動に連動して前記固定接点間方向で移動することにより切り替え動作がなされるようにしてなるスイッチにおいて、前記可動接点端子は、前記操作体に支持される基部を備えるとともに、該基部の固定接点間方向両端部に互いに固定接点間方向で反対方向に向けた一対の弾性接触片をそれぞれ異なる側に片寄せた互い違い配置に備え、該弾性接触片は、前記基部端部より固定接点間方向の一方に向けた形状の弾性支持片部と、前記弾性支持片部の先端側より固定接点側に折り返して前記固定接点間方向の他方に向けた形状の接点支持片部とを備え、該接点支持片部の先端部に前記可動接点が形成され、前記両可動接点が固定接点間方向で間隔を置いて互い違いに配置されるようにしたことにより、弾性変形可能な部分を長く確保することができ、スイッチ全体の小型化を図ることができる。
【図面の簡単な説明】
【００１１】
【図１】本発明に係るスイッチの一例を示す斜視図である。
【図２】同上のスイッチの分解斜視図である。
【図３】(ａ)は同上のスイッチの縦断面図、（ｂ）は同スライド動作させた状態の縦断面図である。
【図４】図１中のスライダーを組み込んだ状態のモールドケースを示す底面図である。
【図５】（ａ）は図３中の可動接点端子を示す斜視図、（ｂ）は同下側から見た斜視図である。
【図６】図２中のＦＰＣ基板の一例を示す斜視図である。
【図７】(ａ)は従来のスイッチの一例を示す断面図、（ｂ）は同切り替え動作させた断面図である。
【発明を実施するための形態】
【００１２】
次に、本発明に係るスイッチの実施の態様を図１〜図６に示す実施例に基づいて説明する。尚、図中符号１０は摺動接点式のスライドスイッチである。
【００１３】
このスライドスイッチ１０は、ハウジング１１の内側面部に間隔を置いて露出させた複数の固定接点１２ａ，１２ｂ，１２ｃと、固定接点１２ａ，１２ｂ（１２ｂ，１２ｃ）にそれぞれ接離する一対の可動接点１３ａ，１３ｂを有する可動接点端子１４と、ハウジング１１内に固定接点間方向で移動可能に収容された操作体としてのスライダー１５とを備え、可動接点端子１４がスライダー１５の移動に連動して固定接点間方向で移動することにより、スイッチの切り替え動作を行うようになっている。
【００１４】
ハウジング１１は、絶縁樹脂製の下面が開口したモールドケース１６と、モールドケース１６の下面部を閉鎖するＦＰＣ基板１７と、ＦＰＣ基板１７をモールドケース１６に固定するための金属性のカバー部材１８とを組み込むことにより中空箱状に形成されている。
【００１５】
モールドケース１６は、モールド成形により下面が開口した中空箱状に形成され、内部にスライダー１５が一方向にスライド移動可能な状態に収容されるようになっている。
【００１６】
このモールドケース１６には、内部両側部に互いに対向する一対の節度用バネ部材１９を備え、この両節度用バネ部材１９がスライダー１５の側部に当接して、所定のスライド位置間の移動に際して節度を生じさせるとともに、各スライド位置においてスライダー１５の移動を規制するようになっている。
【００１７】
この節度用バネ部材１９は、細長板状の金属製の板バネをもって構成され、中央部に内側に向けて膨出した円弧状の摺接用突起１９ａが形成されている。
【００１８】
この節度用バネ部材１９は、両端部がモールドケース１６に形成された固定溝２０，２０に圧入され、両端部を支持されてスイッチ幅方向に弾性変形できるようになっている。
【００１９】
スライダー１５は、モールド成形により矩形駒状に形成され、下面部に可動接点端子１４を収容する溝状の収容凹部２１が形成されている。
【００２０】
このスライダー１５の上面部には、操作摘み２２が一体に形成されており、この操作摘み２２がモールドケース１６の上面部にスライド方向に向けて形成された長孔状のスライド孔２３を通してスイッチ上面部に突出し、この操作摘み２２をスライド孔２３に沿って操作することによりスライダー１５が移動してスイッチの切り替え動作がなされるようになっている。
【００２１】
また、スライダー１５の上面部には、スライド方向に向けたガイド用突条２４が形成され、この突条２４がモールドケース１６の上側内側面部に形成されたスライド方向に向けたスライド溝２５に嵌め込まれ、スライドをガイドされるようになっている。
【００２２】
一方、スライダー１５の両側部には、外側に突出した山形状の節度用突起２６，２６が形成されており、スライダー１５の移動に際し、節度用バネ部材１９が弾性変形して摺接用突起１９ａがこの節度用突起を乗り越え、節度用突起２６の一方側から他方側へ移動し、それにより節度感が得られるようになっている。
【００２３】
可動接点端子１４は、図５に示すように、導電性金属板材を打ち抜き・折り曲げ加工することにより一体に形成され、平板状の基部３０と、基部３０の固定接点間方向両端縁部に支持された一対の弾性接触片３１ａ，３１ｂとを備えている。
【００２４】
基部３０は、中央部に固定孔３２を有する矩形平板状に形成され、固定孔３２に収容凹部２１の溝状底部より下向きに突出した固定用突起３３が挿入されることにより、可動接点端子１４がスライダー１５に支持され、スライダー１５の移動に伴い可動接点１３ａ，１３ｂが固定接点間方向で摺動するようになっている。
【００２５】
両弾性接触片３１ａ，３１ｂは、基部３０の固定接点間方向、即ち移動方向の両端縁に、それぞれスイッチ幅方向で異なる側に片寄せた配置に支持されて互い違いに形成され、固定接点間方向では互いに逆側に向け、且つスイッチ幅方向で互いに平行に並べた配置となっている。
【００２６】
各弾性接触片３１ａ，３１ｂは、基部３０縁部より固定接点間方向やや下向きに向けて延びる細長板状の弾性支持片部３４ａ，３４ｂと、弾性支持片部３４ａ，３４ｂの先端側より円弧状の折り返し部３５ａ，３５ｂを介して固定接点１２ａ，１２ｂ，１２ｃ側、即ち下側に折り返した形状の接点支持片部３６ａ，３６ｂとをもってそれぞれ構成され、接点支持片部３６ａ，３６ｂの先端側、即ち折り返し部３５ａ，３５ｂとは反対側端部に円弧状の可動接点１３ａ，１３ｂが形成されている。
【００２７】
接点支持片部３６ａ，３６ｂは、弾性支持片部３４ａ，３４ｂに比べて長く形成され、各弾性接触片３１ａ，３１ｂの可動接点１３ａ，１３ｂがスイッチ幅方向で他方の弾性接触片３１ａ，３１ｂの折り返し部３５とほぼ並ぶ配置となるように形成されている。
【００２８】
即ち、接点支持片３６ａと接点支持片３６ｂとは、互いに干渉せずに交差するように配置され、両可動接点１３ａ，１３ｂの固定接点間方向の距離を十分にとることができ、且つ可動接点１３ａ，１３ｂが固定接点間方向で間隔を置いて互い違いに配置される。
【００２９】
尚、両可動接点１３ａ，１３ｂ間の距離は、隣り合う固定接点１２ａ，１２ｂ（１２ｂ，１２ｃ）間の距離に合わせて形成されている。
【００３０】
このように構成された弾性接触片３１ａ，３１ｂは、弾性支持片部３４、折り返し部３５及び接点支持片部３６が全体として弾性変形可能なバネ材として機能し、且つ弾性可能な部分が上下で重複する配置に形成したことにより弾性変形可能な部分のスパンを長くとることができる。
【００３１】
固定接点１２ａ，１２ｂ，１２ｃは、図７に示すように、ＦＰＣ基板１７の表面部に間隔を置いてプリント成形され、ＦＰＣ基板１７をモールドケース１６に組み込むことによりハウジング１１内側面部に露出するようになっている。
【００３２】
各固定接点１２ａ，１２ｂ，１２ｃは、スライド移動方向に間隔を置いて配置されており、スライダー１５の移動に伴い、図３（ａ）（ｂ）に示すように、可動接点１３ａ，１３ｂが固定接点１２ａ，１２ｂから固定接点１２ｂ，１２ｃの位置に摺動し、切り替え動作がされるようになっている。尚、固定接点１２ｂはコモン接点である。
【００３３】
カバー部材１８は、金属性板材をもって矩形平板状に形成され、その両側部には、モールドケース１６の側面部に形成された係合突起４０と互いに係合する固定用係合片４１を備えている。
【００３４】
このカバー部材１８は、モールドケース１６との間にＦＰＣ基板１７を配置し、その状態でモールドケース１６の係合突起４０に固定用係合片４１を係合させカバー部材１８を固定することによりＦＰＣ基板１７をモールドケース１６に組み込むようになっている。
【００３５】
尚、上述の実施例では、直線方向でスライド移動するスライダー１５に連動して固定接点１２ａ，１２ｂ，１２ｃ間を可動接点１３ａ，１３ｂが摺動するスライドスイッチ１０を例に説明したが、円周方向に間隔を置いて固定接点１２ａ，１２ｂ，１２ｃを配置し、操作子としての回転式摘みの動きに連動して可動接点端子１４を円周方向で移動させるようにしたもの等のその他の摺動接点式のスイッチにも適用することができる。
【符号の説明】
【００３６】
１０  スライドスイッチ
１１  ハウジング
１２  固定接点
１３  可動接点
１４  可動接点端子
１５  スライダー（操作体）
１６  モールドケース
１７  ＦＰＣ基板
１８  カバー部材
１９  節度用バネ部材
２０  固定溝
２１  収容凹部
２２  操作摘み
２３  スライド孔
２４  ガイド用突条
２５  スライド溝
２６  節度用突起
３０  基部
３１  弾性接触片
３２  固定孔
３３  固定用突起
３４  弾性支持片部
３５  折り返し部
３６  接点支持片部
４０  係合突起
４１  固定用係合片
【図１】
2013020739.tif 000003
【図２】
2013020739.tif 000004
【図３】
2013020739.tif 000005
【図４】
2013020739.tif 000006
【図５】
2013020739.tif 000007
【図６】
2013020739.tif 000008
【図７】
2013020739.tif 000009